【手続補正書】
【提出日】平成16年9月22日(2004.9.22)
【手続補正１】
【補正対象書類名】明細書
【補正対象項目名】特許請求の範囲
【補正方法】変更
【補正の内容】
【特許請求の範囲】
【請求項１】
光源からの光で光変調素子を照明し、前記光変調素子で変調された光を被投影面に投影し、前記被投影面上に投影画像を表示する投射型表示装置において、
前記投影画像の明るさを調整する調光手段と、前記調光手段の近傍に配置された光学素子と、前記調光手段と前記光学素子との間に設けられた間隙に風を通す手段と、を有することを特徴とする投射型表示装置。
【請求項２】
前記調光手段が、機械的絞り機構であることを特徴とする請求項１に記載の投射型表示装置。
【請求項３】
前記機械的絞り機構が、開口部を有する相対的に移動可能な複数の絞り板を備え、これら複数の絞り板の重なり合いにより前記開口部の大きさを可変することによって、前記投影画像の明るさを制御する絞り機構であることを特徴とする請求項２に記載の投射型表示装置。
【請求項４】
前記絞り板を備えてなる機械的絞り機構と隣り合う側の、一方の側には間隙を設けて偏光変換素子が配され、また他方の側には間隙を設けてフライアイレンズが配されており、これらの間隙に風を通すように構成されていることを特徴とする請求項３に記載の投射型表示装置。
【請求項５】
前記機械的絞り機構が、機械的な虹彩絞りであることを特徴とする請求項２に記載の投射型表示装置。
【請求項６】
前記虹彩絞りと隣り合う側の、一方の側および他方の側にはそれぞれ間隙を設けて投射レンズ系を構成するレンズが配され、これらの間隙に風を通すように構成されていることを特徴とする請求項５に記載の投射型表示装置。
【請求項７】
前記調光手段が、偏光の位相差を変化させる位相板を備え、該位相板を可動させることによって、前記投影画像の明るさを制御する調光手段であることを特徴とする請求項１に記載の投射型表示装置。
【請求項８】
前記位相板を備えてなる調光手段と隣り合う側に、該調光手段と間隙を設けて入射側偏光板を配する一方、該入射側偏光板の他方の側に、該入射側偏光板との間に間隙を設け液晶素子を配し、これらの間隙に風を通すように構成されていることを特徴とする請求項７に記載の投射型表示装置。
【請求項９】
前記調光手段が、光路中に設けた誘電体に印加する電圧を可変することによって、前記投影画像の明るさを制御する調光手段であることを特徴とする請求項１に記載の投射型表示装置。
【請求項１０】
前記電圧を可変させることによる調光手段と隣り合う側に、該調光手段と間隙を設けて入射側偏光板を配する一方、該入射側偏光板の他方の側に、該入射側偏光板との間に間隙を設け液晶素子を配し、これらの間隙に風を通すように構成されていることを特徴とする請求項９に記載の投射型表示装置。
【請求項１１】
前記間隙に風を通す手段が、送風装置によって前記間隙に風を送り込み、これら間隙の間に存在する調光手段および光学素子を冷却するように構成されていることを特徴とする請求項１乃至１０のいずれか１項に記載の投射型表示装置。
【請求項１２】
前記送風装置は、前記間隙の間に存在する調光手段および光学素子を冷却する送風装置に用いられると共に、これら以外の光学部品を冷却する送風装置としても用いられる共通化された送風装置であることを特徴とする請求項１１に記載の投射型表示装置。
【請求項１３】
前記共通化された送風装置によって、それぞれ別々の流路、もしくは途中で分割された流路を介して、前記間隙に風を送り込むように構成されていることを特徴とする請求項１２に記載の投射型表示装置。
【請求項１４】
前記共通化された送風装置によって、同時もしくは選択的に風を送る流路を介して、前記間隙に風を送り込むように構成されていることを特徴とする請求項１２に記載の投射型表示装置。
【請求項１５】
画像記憶機器もしくは画像記憶媒体から画像を読み出すことが可能な機器から画像信号を、請求項１乃至１４いずれか１項に記載の前記投射型表示装置に送信し、前記投射型表示装置により前記被投影面に投影することを特徴とする画像投影システム。
【手続補正２】
【補正対象書類名】明細書
【補正対象項目名】０００７
【補正方法】変更
【補正の内容】
【０００７】
【課題を解決するための手段】
本発明は、上記課題を達成するために、つぎの（１）〜（１５）のように構成した投射型表示装置を提供するものである。
（１）光源からの光で光変調素子を照明し、前記光変調素子で変調された光を被投影面に投影し、前記被投影面上に投影画像を表示する投射型表示装置において、前記投影画像の明るさを調整する調光手段と、前記調光手段の近傍に配置された光学素子と、前記調光手段と前記光学素子との間に設けられた間隙に風を通す手段と、を有することを特徴とする投射型表示装置。
（２）前記調光手段が、機械的絞り機構であることを特徴とする上記（１）に記載の投射型表示装置。
（３）前記機械的絞り機構が、開口部を有する相対的に移動可能な複数の絞り板を備え、これら複数の絞り板の重なり合いにより前記開口部の大きさを可変することによって、前記投影画像の明るさを制御する絞り機構であることを特徴とする上記（２）に記載の投射型表示装置。
（４）前記絞り板を備えてなる機械的絞り機構と隣り合う側の、一方の側には間隙を設けて偏光変換素子が配され、また他方の側には間隙を設けてフライアイレンズが配されており、これらの間隙に風を通すように構成されていることを特徴とする上記（３）に記載の投射型表示装置。
（５）前記機械的絞り機構が、機械的な虹彩絞りであることを特徴とする上記（２）に記載の投射型表示装置。
（６）前記虹彩絞りと隣り合う側の、一方の側および他方の側にはそれぞれ間隙を設けて投射レンズ系を構成するレンズが配され、これらの間隙に風を通すように構成されていることを特徴とする上記（５）に記載の投射型表示装置。
（７）前記調光手段が、偏光の位相差を変化させる位相板を備え、該位相板を可動させることによって、前記投影画像の明るさを制御する調光手段であることを特徴とする上記（１）に記載の投射型表示装置。
（８）前記位相板を備えてなる調光手段と隣り合う側に、該調光手段と間隙を設けて入射側偏光板を配する一方、該入射側偏光板の他方の側に、該入射側偏光板との間に間隙を設け液晶素子を配し、これらの間隙に風を通すように構成されていることを特徴とする
上記（７）に記載の投射型表示装置。
（９）前記調光手段が、光路中に設けた誘電体に印加する電圧を可変することによって、前記投影画像の明るさを制御する調光手段であることを特徴とする上記（１）に記載の投射型表示装置。
（１０）前記電圧を可変させることによる調光手段と隣り合う側に、該調光手段と間隙を設けて入射側偏光板を配する一方、該入射側偏光板の他方の側に、該入射側偏光板との間に間隙を設け液晶素子を配し、これらの間隙に風を通すように構成されていることを特徴とする上記（９）に記載の投射型表示装置。
（１１）前記間隙に風を通す手段が、送風装置によって前記間隙に風を送り込み、これら間隙の間に存在する調光手段および光学素子を冷却するように構成されていることを特徴とする上記（１）乃至（１０）のいずれかに記載の投射型表示装置。
（１２）前記送風装置は、前記間隙の間に存在する調光手段および光学素子を冷却する送風装置に用いられると共に、これら以外の光学部品を冷却する送風装置としても用いられる共通化された送風装置であることを特徴とする上記（１１）に記載の投射型表示装置。
（１３）前記共通化された送風装置によって、それぞれ別々の流路、もしくは途中で分割された流路を介して、前記間隙に風を送り込むように構成されていることを特徴とする上記（１２）に記載の投射型表示装置。
（１４）前記共通化された送風装置によって、同時もしくは選択的に風を送る流路を介して、前記間隙に風を送り込むように構成されていることを特徴とする上記（１２）に記載の投射型表示装置。
（１５）画像記憶機器もしくは画像記憶媒体から画像を読み出すことが可能な機器から画像信号を、上記（１）乃至（１４）のいずれかに記載の前記投射型表示装置に送信し、前記投射型表示装置により前記被投影面に投影することを特徴とする画像投影システム。